(57)【特許請求の範囲】
【請求項１】
平坦な第１の壁を有する第１の部材と、
前記第１の壁にスペーサを介して相対向して配される平坦な第２の壁を有する第２の部材とを互いに固定手段によって固定する筐体において、
前記スペーサが適正位置に位置して前記第１の部材と第２の部材とが互いに前記固定手段によって固定された際に、前記第２の部材の第２の壁に前記スペーサの縁部が露出する露出孔が複数形成されたことを特徴とする筐体。
【請求項２】
前記スペーサが適正位置に位置して前記第１の部材と第２の部材とが互いに前記固定手段によって固定された際に、前記複数の露出孔が、当該露出孔を通してスペーサの縁部の外部に露出する面積が互いに等しくなるよう形成されたことを特徴とする請求項１記載の筐体。
【請求項３】
前記スペーサが円環状に形成され、
前記複数の露出孔が前記固定手段を中心とした周方向に沿って互いに等間隔となる位置にそれぞれ配されたことを特徴とする請求項２記載の筐体。
【発明の詳細な説明】
【０００１】
【発明の属する技術分野】
本発明は、スペーサを介して互いに相対向して配される第１の部材と第２の部材とを備えた筐体に関する。
【０００２】
【従来の技術】
例えば、Digital Versatile disc（以下ＤＶＤと呼ぶ）や、Compact disc（以下ＣＤと呼ぶ）などのディスク形記録媒体に記録された情報を取り出すために用いられたり、前記ディスク形記録媒体に情報を書き込むために用いられる機能機器としてのディスク形記録媒体駆動装置は、ケース体と、このケース体に対しスライド自在に設けられたトレー部などを備えている。
【０００３】
ケース体は、ノート形のポータブルコンピュータなどの電子機器に取り付けられる。トレー部は、前記ディスク形記録媒体を載置して、前記ケース体内に出し入れする。トレー部は、部材としてのアッパハウジングと、比較的厚みの薄い部材としてのロアハウジングと、これらのハウジングの間に配されるターンテーブルと光学式のピックアップ部などを備えている。
【０００４】
アッパハウジングは、ロアハウジングに向かって突出しかつねじ孔を有するボス部を備えている。ロアハウジングは、ねじが通ることをできる貫通孔をそなえている。アッパハウジングと、ロアハウジングとは、貫通孔を通りボス部のねじ孔に螺合するねじによって、互いに固定される。
【０００５】
ターンテーブルは、ディスク形記録媒体を保持して回転駆動する。ピックアップ部は、ディスク形記録媒体に記録された情報を取り出す。前記ターンテーブルやピックアップ部は、弾性体によって、アッパハウジングとロアハウジングとの間に支持される。
【０００６】
また、ロアハウジングと弾性体との間には、両ハウジングの組み付け精度を確保するためなどの種々の理由によって比較的厚みの薄いスペーサが配されている。スペーサは、例えば円環状に形成されており、前記両ハウジングを互いに固定するねじなどがその中央に通ることによって適正な位置に位置決めされ、弾性体とロアハウジングの間に配される。
【０００７】
【発明が解決しようとする課題】
前述した構成の従来のディスク形記録媒体駆動装置を組立てる際に、アッパハウジングの所定の位置に、弾性体とともにターンテーブルやピックアップ部を載置し、スペーサをさらに弾性体上に載置する。そして、ロアハウジングをアッパハウジングに対して位置決めして、前記ねじをねじ孔に螺合させて両ハウジングを互いに固定して組み立てていた。
【０００８】
しかしながら、ロアハウジングとスペーサは、共に比較的厚みが薄く形成されているため、前記ボス部などによってスペーサを適正な位置に位置決めすることが困難となっていた。このため、前述した組立作業中において、例えばロアハウジングをアッパハウジングに位置決めする際などに、ロアハウジングがスペーサに接触するなどして、スペーサが所定の位置からずれてしまうことがあった。
【０００９】
この場合、作業者がスペーサがずれたことを確認できないため、組立後のディスク形記録媒体駆動装置がディスク形記録媒体の情報を再生する際などに、確実に所望の情報を再生できなくなることが生じる恐れがあった。
【００１０】
また、組立作業を行う作業員が、スペーサが位置ずれしないようにロアハウジングとアッパハウジングとを固定するために、特にロアハウジングの位置決めする際に細心の注意を要していた。このため、前述した組立作業の効率が低下して組立作業にかかる工数が増大して、ディスク形記録媒体駆動装置自体のコストが高騰する傾向となっていた。
【００１１】
したがって、本発明の目的は、複数の部材を互いに固定する際に、これらの部材の間に配されるスペーサが適正位置に位置したことを確認することができる筐体を提供することにある。
【００１２】
【課題を解決するための手段】
上述した課題を解決し目的を達成するために請求項１に記載された本発明の筐体は、平坦な第１の壁を有する第１の部材と、前記第１の壁にスペーサを介して相対向して配される平坦な第２の壁を有する第２の部材とを互いに固定手段によって固定する筐体において、前記スペーサが適正位置に位置して前記第１の部材と第２の部材とが互いに前記固定手段によって固定された際に、前記第２の部材の第２の壁に前記スペーサの縁部が露出する露出孔が複数形成されたことを特徴としている。
【００１３】
請求項２に記載の本発明の筐体は、請求項１に記載の筐体において、前記スペーサが適正位置に位置して前記第１の部材と第２の部材とが互いに前記固定手段によって固定された際に、前記複数の露出孔が、当該露出孔を通してスペーサの縁部の外部に露出する面積が互いに等しくなるよう形成されたことを特徴としている。
【００１４】
請求項３に記載の本発明の筐体は、請求項２に記載の筐体において、前記スペーサが円環状に形成され、前記複数の露出孔が前記固定手段を中心とした周方向に沿って互いに等間隔となる位置にそれぞれ配されたことを特徴としている。
【００１７】
請求項１記載の発明によれば、第２の部材の第２の壁に、スペーサが適正位置に位置した際に、このスペーサの縁部が露出する露出孔が複数形成されている。このため、第１の部材と第２の部材とを固定した際に、それぞれの露出孔から露出したスペーサの縁部を確認することによって、スペーサが適正位置に位置しているか否かを確認することができる。
【００１８】
請求項２記載の発明によれば、露出孔それぞれが、スペーサが適正位置に位置した際に、このスペーサの縁部が露出する面積が等しくなるよう形成されているので、それぞれの露出孔からスペーサの縁部が露出した面積を確認することによって、スペーサが適正位置に位置しているか否かを確認することができる。
【００１９】
請求項３記載の発明によれば、スペーサが円環状に形成され、露出孔が固定手段を中心とした周方向に沿って互いに等間隔となる位置に配されているので、スペーサが適正位置に位置すると、それぞれの露出孔から露出するスペーサの縁部の度合がより等しくなる。このため、それぞれの露出孔からスペーサの縁部が露出した度合を確認することによって、スペーサが適正位置に位置しているか否かをより確実に確認することができる。
【００２６】
【発明の実施の形態】
以下、本発明の第１の実施形態に係る筐体について、図１ないし図８を参照して説明する。
図１及び図２などに示す筐体１は、例えば、ＣＤやＤＶＤなどのディスク形記録媒体２（図７に示す）の情報を再生するために用いられる機能機器としてのディスク形記録媒体駆動装置１０（図７及び図８に示す）のトレー部１２を構成する。
【００２７】
ディスク形記録媒体２は、図７に示すように、円板状に形成され、中央に設けられた中央孔３と、この中央孔３の外周側に位置しかつ情報を記録することのできる記録部４と、を備えている。
【００２８】
図７及び図８に示されたディスク形記録媒体駆動装置１０は、ブック形あるいはノート形のポータブルコンピュータや移動体情報端末などの電子機器に取り付けられる。ディスク形記録媒体駆動装置１０は、図７及び図８に示すように、ケース体１１と、トレー部１２などを備えている。
【００２９】
ケース体１１は、前述した電子機器に取付られる。ケース体１１は、箱状に形成されており、互いにねじなどによって連結されるアッパシャーシ１３とロアシャーシ１４を備えている。アッパシャーシ１３は、板金を折り曲げられるなどして形成されており、平坦な壁１５と、この壁１５の周縁に連なる周壁１６と、を備えている。
【００３０】
ロアシャーシ１４は、板金を折り曲げられるなどして形成されており、アッパシャーシ１３の壁１５に間隔を存して相対向して配される平坦な壁１７と、この壁１７の周縁に連なる周壁１８と、を備えている。前記周壁１６，１８は、シャーシ１３，１４が互いに連結された際に互いに連続する。
【００３１】
また、アッパシャーシ１３及びロアシャーシ１４の壁１５，１７の図中手前に位置する周縁には、周壁１６，１８が形成されていない。周壁１６，１８が形成されていない周縁には、シャーシ１３，１４が互いに連結された際に、ケース体１１の内部と外部とを互いに連通する開口部１９が形成される。ケース体１１は、開口部１９を介してトレー部１２を図中の矢印Ｋに沿う前後方向に沿って、内部に出し入れ自在に支持する。
【００３２】
さらに、ロアシャーシ１４には、前述した電子機器と、ディスク形記録媒体駆動装置１０との間の電気的な接続を確保するためのコネクタなどが実装された図示しないプリント基板が取り付けられている。
【００３３】
トレー部１２は、図８に示すように、本発明の第１の実施形態に係る筐体１と、この筐体１の前部に取付られる前面パネル２０と、筐体１内に収容される駆動ユニット２１などを備えている。筐体１は、第１の部材としてアッパハウジング２２と、第２の部材としてのロアハウジング２３と、を備えている。アッパハウジング２２とロアハウジング２３とは、互いにねじ２４などによって連結される。
【００３４】
アッパハウジング２２は、例えば、合成樹脂などから形成されており、第１の壁としての平坦な天井壁２５と、この天井壁２５の周縁に連なる周壁２６と、を備えている。
【００３５】
また、アッパハウジング２２は、ハウジング２２，２３が互いに連結された際に、天井壁２５からロアハウジング２３の後述する底壁２９に向かって突出したボス部２７（図２に示す）を複数備えている。ボス部２７には、図２に示すように、それぞれねじ孔２８が形成されている。なお、ねじ２４及びねじ孔２８は、本明細書に記した固定手段を構成している。
【００３６】
ロアハウジング２３は、例えば、比較的厚みが薄い板金などから形成されており、第２の壁としての平坦な底壁２９と、この底壁２９の周縁に連なる周壁３０と、を備えている。底壁２９には、図１及び図２に示すように、その底面２９ａから凹即ち底面２９ａからアッパハウジング２２に向かって形成された凹部３１が複数形成されている。凹部３１は、ねじ２４のねじ頭２４ａの厚みより深く前記底壁２９の底面２９ａから凹に形成されている。
【００３７】
それぞれの凹部３１は、ハウジング２２，２３が互いに連結された際に、ボス部２７に相対する位置に配されている。それぞれの凹部３１の中央には、前記ボ部２７のねじ孔２８に対向合致する貫通孔３２が形成されている。貫通孔３２は、ハウジング２２，２３が互いに連結されると、ねじ孔２８と互いに同軸となる位置に設けられている。
【００３８】
また、それぞれの凹部３１には、複数の露出孔３３が形成されている。それぞれの露出孔３３は、円形に形成され、前記底壁２９を貫通している。露出孔３３は、前記貫通孔３２を中心とした周方向に沿って互いに等間隔となる位置に設けられている。即ち、露出孔３３は、ねじ２４及びねじ孔３８を中心とした周方向に沿って互いに等間隔となる位置に設けられている。図示例において、露出孔３３は、前記貫通孔３２を中心とした周方向に沿って３つ設けられている。
【００３９】
また、図示例において、ロアハウジング２３の底壁２９は、肉厚が略一定に形成されており、前記凹部３１においては底壁２９を構成するロアハウジング２３の母材がアッパハウジング２２に向かって近づく方向に屈曲されて形成されている。
【００４０】
アッパハウジング２２とロアハウジング２３とが互いに連結されると、天井壁２５と底壁２９とは、互いに間隔を存して相対向する。アッパハウジング２２とロアハウジング２３とが互いに連結されると、周壁２６の内側に周壁３０が位置して周壁２６，３０が互いに重なり合う。
【００４１】
筐体１は、アッパハウジング２２とロアハウジング２３とが互いに連結された状態で、前記開口部１９の間口及びケース体１１の奥行きに対応する薄い箱状に形成されている。
【００４２】
ロアシャーシ１４の互いに相対する周壁１８と相対するトレー部１２の両側部１２ａ，１２ｂには、それぞれ案内レール３４ａ，３４ｂが取り付けられる。案内レール３４ａ，３４ｂは、前記トレー部１２の側部１２ａ，１２ｂそれぞれの長手方向に沿って設けられる。
【００４３】
案内レール３４ａ，３４ｂは、それぞれ、側部１２ａ，１２ｂそれぞれの長手方向に沿って、移動自在にトレー部１２に取り付けられる。案内レール３４ａ，３４ｂは、それぞれ、ケース体１１の奥行き方向に沿って移動自在に、ロアシャーシ１４に取り付けられる。
【００４４】
このような構成によって、トレー部１２は、図中の矢印Ｋに沿って、前記開口部１９を介してケース体１１の外に露出した状態と、前記ケース体１１の内部に収容された状態とに亘って移動自在に設けられている。
【００４５】
また、アッパハウジング２２の天井壁２５の上面側には、ディスク収容部３５が形成されている。ディスク収容部３５は、天井壁２５の上面から凹に形成されており、その底面３５ａ上にディスク形記録媒体２を載置して収容する。アッパハウジング２２には、駆動ユニット２１の後述するターンテーブル３９とピックアップ部４０を露出する駆動ユニット露出窓３６が形成されている。
【００４６】
駆動ユニット露出窓３６は、ターンテーブル３９をディスク収容部３５の底面３５ａから上方に向かって突出させ、かつピックアップ部４０をディスク収容部３５の底面３５ａ上に載置されるディスク形記録媒体２の記録部４に相対させることができるように形成されている。
【００４７】
また、筐体１内には、駆動ユニット２１のターンテーブル３９を回転駆動するためのスピンドルモータなどを実装した図示しないプリント基板が収容されている。このプリント基板とロアシャーシ１４に取り付けられたプリント基板とは、フレキシブルプリント基板によって、互いに電気的に接続されている。
【００４８】
前面パネル２０には、スイッチ３７が取り付けられている。スイッチ３７は、押圧操作されることなどによって、トレー部１２をケース体１１の前方に突出させるなどして、トレー部１２の引き出し動作を容易にする。
【００４９】
駆動ユニット２１は、筐体１に取り付けられるシャーシ３８と、振動源としてのターンテーブル３９と、光学式のピックアップ部４０と、を備えている。ターンテーブル３９は、シャーシ３８に取り付けられている。ターンテーブル３９は、ディスク形記録媒体２の中央孔３に嵌合して、ディスク形記録媒体２を回転駆動する。ピックアップ部４０は、シャーシ３８にディスク形記録媒体２の径方向に沿って移動自在に取り付けられている。
【００５０】
駆動ユニット２１は、ターンテーブル３９がディスク収容部３５の底面３５ａから突出しかつピックアップ部４０がディスク形記録媒体２の記録部４に相対向するように、筐体１に取り付けられる。
【００５１】
シャーシ３８には、外方向に向かって突出した爪部４５が複数形成されている。それぞれの爪部４５は、Ｕ字状に形成されており、シャーシ３８が筐体１に取り付けれた際に、その内側にボス部２７が通ることのできるよう配されている。それぞれの爪部４５には、弾性体としてのゴムなどからなるリング部材４１が取り付けられる。
【００５２】
リング部材４１は、それぞれ、図２などに示すように、円環状に形成されたリング本体４２と、このリング本体４２の外周面から凹に形成された爪部取付部４３と、リング本体４２の両端面に設けられた支持突起４４とを備えている。リング本体４２は、その内側にボス部２７が通ることのできる大きさに形成されている。爪部取付部４３は、爪部４５にはめ込まれる。支持突起４４は、リング本体４２の両端面それぞれから天井壁２５または底壁２９に向かって突出して形成されている。
【００５３】
リング部材４１は、爪部取付部４３が爪部４５にはめ込まれると、その弾性復元力によって、爪部４５に取り付けられた状態を維持して、前記爪部４５から脱落することが防止される。
【００５４】
また、リング部材４１が爪部４５に取付られて筐体１内に取り付けられる際に、支持突起４４と底壁２９との間には、図２などに示すスペーサ４６が配される。スペーサ４６は、比較的厚みの薄い円環状に形成されており、その表面が比較的摩擦係数が小さくなるように滑らかに形成されている。
【００５５】
スペーサ４６の表面は、少なくとも底壁２９に対する摩擦係数が小さくなるように滑らかに形成されている。スペーサ４６は、その内側にボス部２７が通ることのできる大きさに形成されている。
【００５６】
また、スペーサ４６は、内側にボス部２７が通って、ハウジング２２，２３が互いに固定された際に、縁部が露出孔３３を通して外部に露出する大きさに形成れている。スペーサ４６は、ハウジング２２，２３が互いに固定されて、リング部材４１とロアハウジング２３との間に配される際に、図１に示すように、それぞれの露出孔３３を通して外部に露出する面積即ち度合が、互いに等しくなる適正位置に位置される。
【００５７】
前述した構成のトレー部１２を組み立てる際には、まず、シャーシ３８にターンテーブル３９とピックアップ部４０とを取り付けるなどして駆動ユニット２１を組み立てる。その後、駆動ユニット２１のシャーシ３８の爪部４５それぞれにリング部材４１を取り付ける。リング部材４１の内側にボス部２７を通して、駆動ユニット２１をアッパハウジング２２に取り付ける。
【００５８】
そして、スペーサ４６を、その内側にボス部２７を通した状態で、リング部材４１の支持突起４４上に配する。ロアハウジング２３をアッパハウジング２２に対して凹部３１とボス部２７とが互いに対向合致するように位置決めして、ねじ２４を貫通孔３２を通してねじ孔２８にねじ込む。このとき、スペーサ４６が前述した適正位置に位置すると、各露出孔３３を通して縁部の外部に露出する面積即ち度合が、互いに略等しくなる。このように、本実施形態のハウジング２２，２３は、ねじ２４及びねじ孔２８によって互いに固定される。
【００５９】
本実施形態の筐体１によれば、ハウジング２２，２３を互いに固定した際に、スペーサ４６の縁部が露出孔３３を介して外部に露出する。このため、ハウジング２２，２３を互いに固定した際に、それぞれの露出孔３３から露出したスペーサ４６の縁部を確認することによって、スペーサ４６が適正位置に位置しているか否かを確認することができる。
【００６０】
また、露出孔３３それぞれが、スペーサ４６が適正位置に位置した際に、このスペーサ４６の縁部が露出する面積即ち度合が略等しくなるよう形成されているので、それぞれの露出孔３３からスペーサ４６の縁部の露出した度合を確認することによって、スペーサ４６が適正位置に位置しているか否かを確認することができる。
【００６１】
例えば、図３に示すように、各露出孔３３それぞれから露出するスペーサ４６の縁部の面積即ち度合が異なる場合では、スペーサ４６が適正位置に位置していないことを容易に把握することができる。
【００６２】
さらに、スペーサ４６が円環状に形成され、露出孔３３が貫通孔３２即ちねじ２４及びねじ孔２８を中心とした周方向に沿って互いに等間隔となる位置に配されているので、スペーサ４６が適正位置に位置すると、それぞれの露出孔３３から露出するスペーサ４６の縁部の面積即ち度合がより等しくなる。このため、それぞれの露出孔３３からスペーサ４６の縁部の露出した度合を確認することによって、スペーサ４６が適正位置に位置しているか否かをより確実に確認することができる。
【００６３】
また、前記スペーサ４６が、ロアハウジング２３との間の摩擦係数が小さくなるように表面が滑らかに形成されている。このため、ターンテーブル３９が回転する際に生じる振動がシャーシ３８などを介してリング部材４１に伝わっても、スペーサ４６がロアハウジング２３の底壁２９に対して、前述した振動に応じて滑ることとなる。このため、前述した振動がロアハウジング２３即ち筐体１に伝わることを抑制できる。
【００６４】
このことは、図４に示す測定結果からも明らかである。図４に結果を示した測定では、ターンテーブル３９の回転数を変化させたときの、ロアハウジング２３（筐体１）の加速度即ち振動を測定している。図４において、実線（以下本発明品と呼ぶ）は、前述した第１の実施形態の筐体１の振動を測定した結果を示し、一点鎖線（以下比較例と呼ぶ）は前述したスペーサ４６を設けていない筐体の振動を測定した結果を示している。
【００６５】
図４によれば、最も大きな筐体の加速度においては本発明品は比較例の約２割ほど小さくなっており、例えばディスク形記録媒体駆動装置１０で用いられる所定回転数Ｒにおいては本発明品は比較例の約４割程度小さくなっている。
【００６６】
このことは、図５及び図６に示す模式図を用いて説明することができる。図５に示した模式図は、前述した第１の実施形態の筐体１を示し、図６に示した模式図は、前述したスペーサ４６を設けていない筐体を示している。なお、図５及び図６において、前述した図２等に示した筐体１と同一構成部分には、同一符号を付して説明を省略する。
【００６７】
図５においては、ターンテーブル３９の回転によって生じる図中に矢印Ｓに沿った振動によって、スペーサ４６とロアハウジング２３とが互いに滑ることとなる。このため、ターンテーブル３９の振動がロアハウジング２３に伝わり難くなっている。
【００６８】
図６においては、ターンテーブル３９の回転によって生じる図中に矢印Ｓに沿った振動によって、リング部材４１とロアハウジング２３とが互いに密接したままシャーシ３８が振動することとなり、ターンテーブル３９の振動に応じてリング部材４１が弾性変形を繰り返すこととなる。このため、ターンテーブル３９の振動に応じた弾性変形によって生じるリング部材４１の弾性復元力がロアハウジング２３に作用する。ターンテーブル３９の回転に伴う振動がロアハウジング２３に伝わることとなる。
【００６９】
次に、第２の実施形態を図９を参照して説明する。なお、前述した第１の実施形態と同一構成部分には、同一符号を付して説明を省略する。
本実施形態において、スペーサ４６は、位置決め部５１を一体に備えている。位置決め部５１は、スペーサ４６の内縁部から一方向に向かって延びた筒状に形成されており、リング部材４１の内周に係合可能に形成されている。
【００７０】
本実施形態によれば、スペーサ４６の縁部が露出孔３３を介して露出する度合を把握することによって、スペーサ４６が適正位置に位置しているか否かを容易に把握できることに加えて、スペーサ４６の位置決め部５１が、リング部材４１の内周に係合するため、スペーサ４６の位置ずれを防止できる。このため、スペーサ４６を適正位置に配した状態で筐体１を容易に組み立てることができる。したがって、筐体１の組立にかかる工数などを抑制することが可能となって、機能機器としてのディスク形記録媒体駆動装置１０のコストの高騰を抑制できる。
【００７１】
また、本実施形態において、図１０に示すように、スペーサ４６の位置決め部５１は、スペーサ４６の外縁部に形成されても良い。この場合、位置決め部５１は、リング部材４１の外周に係合する。なお、前述した位置決め部５１は、スペーサ４６の内縁部と外縁部とのうち少なくとも一方に設けられておればよい。これらも場合においても、スペーサ４６を適正位置に配した状態で筐体１を容易に組み立てることができ、筐体１の組立にかかる工数などを抑制することが可能となって、機能機器としてのディスク形記録媒体駆動装置１０のコストの高騰を抑制できる。
【００７２】
【発明の効果】
以上説明したように、請求項１記載の発明によれば、第２の部材の第２の壁に、スペーサが適正位置に位置した際に、このスペーサの縁部が露出する露出孔が形成されている。このため、第１の部材と第２の部材とを固定した際に、それぞれの露出孔から露出したスペーサの縁部を確認することによって、スペーサが適正位置に位置しているか否かを確認することができる。
【００７３】
請求項２記載の発明によれば、露出孔それぞれが、スペーサが適正位置に位置した際に、このスペーサの縁部が露出する面積が等しくなるよう形成されているので、それぞれの露出孔からスペーサの縁部の露出した面積を確認することによって、スペーサが適正位置に位置しているか否かを確認することができる。
【００７４】
請求項３記載の発明によれば、スペーサが円環状に形成され、露出孔が固定手段を中心とした周方向に沿って等間隔となる位置に配されているので、スペーサが適正位置に位置すると、それぞれの露出孔から露出するスペーサの縁部の度合がより等しくなる。このため、それぞれの露出孔からスペーサの縁部の露出した度合を確認することによって、スペーサが適正位置に位置しているか否かをより確実に確認することができる。
【図面の簡単な説明】
【図１】本発明の第１の実施形態に係る筐体をロアハウジングの底面側から見た状態を示す平面図である。
【図２】図１中のＩＩ―ＩＩ線に沿う断面図である。
【図３】同実施形態の筐体のスペーサが適正位置からずれた状態を示す平面図である。
【図４】本発明品と比較例に関してターンテーブルの回転数を変化させたときの筐体の加速度を測定した結果を示す図である。
【図５】図４中の本発明品の構成を示す模式図である。
【図６】図４中の比較例の構成を示す模式図である。
【図７】図１に示された筐体を備えたトレー部を有するディスク形記録媒体駆動装置を示す斜視図である。
【図８】図７に示されたディスク形記録媒体駆動装置の分解した状態を示す斜視図である。
【図９】本発明の第２の実施形態に係る筐体を示す断面図である。
【図１０】図９に示された実施形態のスペーサの変形例を示す断面図である。
【符号の説明】
１  筐体
２２  アッパハウジング（第１の部材）
２３  ロアハウジング（第２の部材）
２４  ねじ（固定手段）
２５  天井壁（第１の壁）
２８  ねじ孔（固定手段）
２９  底壁（第２の壁）
３３  露出孔
３９  ターンテーブル（振動源）
４１  リング部材（弾性体）
４６  スペーサ
【図１】
0003947327.tif 000002
【図２】
0003947327.tif 000003
【図３】
0003947327.tif 000004
【図４】
0003947327.tif 000005
【図５】
0003947327.tif 000006
【図６】
0003947327.tif 000007
【図７】
0003947327.tif 000008
【図８】
0003947327.tif 000009
【図９】
0003947327.tif 000010
【図１０】
0003947327.tif 000011